(57)【要約】【課題】  原稿の一面の画像を読み取ったことを示すマークをマーキングされる面を自由に選択することができて、画像とともにマークがコピーされてしまう不都合を未然に防止することができる原稿読取装置を提供する。【解決手段】  複合機は、搬送経路に沿って搬送される原稿の表面画像を読み取る原稿読取機構部１３と、同じく裏面画像を読み取るイメージセンサ２９とを備えている。また、複合機は、搬送経路に沿って搬送される原稿の表面にスタンプする表面スタンパ５０と、同じく裏面にスタンプする裏面スタンパ５１とを備えている。さらに、複合機は、スタンプする原稿の面を設定するスタンプモード選択スイッチと、設定された原稿に面にスタンプさせる制御装置とを備えている。【選択図】      図１
2005167726.tif 000002
【特許請求の範囲】
【請求項１】
搬送経路に沿って搬送される原稿の表面にマーキングする表面マーキング手段と、
同じく原稿の裏面にマーキングする裏面マーキング手段と、
マーキングする原稿の面を選択設定できるようにしたマーキング面設定手段と、
設定された原稿の面にマーキングさせる制御手段とを備えたことを特徴とする原稿読取装置。
【請求項２】
コピー機能、ファクシミリ機能及びスキャナー機能のうちからいずれかを選択する機能選択手段を備え、
前記マーキング面設定手段は、前記機能が新たに選択される毎に、マーキングする原稿の面の決定を促すように構成されていることを特徴とする請求項１に記載の原稿読取装置。
【請求項３】
搬送経路に沿って搬送される原稿の表面画像を読み取る表面読取手段に加え、原稿の裏面画像を読み取る裏面読取手段を備えたことを特徴とする請求項１又は請求項２に記載の原稿読取装置。
【発明の詳細な説明】
【技術分野】
【０００１】
本発明は、複写機、ファクシミリ、スキャナーや、それらの複合機等に設けられる原稿読取装置に関するものである。
【背景技術】
【０００２】
従来、上記原稿読取装置として、特許文献１に示されるものがある。この装置は、原稿の表面の画像を読み取り、この読取結果に基づいて原稿の表面に画像があるか否かを判定する。そして、表面に画像があるときには、使用済みマークを原稿の表面にマーキングする。また、原稿の裏面の画像を読み取り、この読取結果に基づいて原稿の裏面に画像があるか否かを判定する。そして、原稿の裏面に画像があるときには、使用済みマークを原稿の裏面にマーキングする。これにより、片面のみに画像が記録されている原稿を、その画像読み取り後に記録紙として再利用したときに、使用済みマークがない面を新たに画像を記録した面としてユーザが把握することができる。
【特許文献１】特開平６−２８９６７５号公報
【発明の開示】
【発明が解決しようとする課題】
【０００３】
ところで、原稿の画像を読み取った後に、その原稿の画像を再度読み取ってコピーする場合がある。このとき、上記特許文献１の装置では、画像が印刷されている面に使用済みマークがマーキングされていると、画像といっしょにマークもコピーされてしまう不都合がある。
【０００４】
本発明の目的は、原稿の一面の画像を読み取ったことを示すマークがマーキングされる面を自由に選択することができて、前述した不都合を未然に防ぎ得る原稿読取装置を提供することにある。
【課題を解決するための手段】
【０００５】
上記目的を達成するため、請求項１に記載の発明は、搬送経路に沿って搬送される原稿の表面にマーキングする表面マーキング手段と、同じく原稿の裏面にマーキングする裏面マーキング手段と、マーキングする原稿の面を選択設定できるようにしたマーキング面設定手段と、設定された原稿の面にマーキングさせる制御手段とを備えたことを特徴とする。
【０００６】
請求項２に記載の発明は、請求項１に記載の発明において、コピー機能、ファクシミリ機能及びスキャナー機能のうちからいずれかを選択する機能選択手段を備え、前記マーキング面設定手段は、前記機能が新たに選択される毎に、マーキングする原稿の面の決定を促すように構成されていることを特徴とする。
【０００７】
請求項３に記載の発明は、請求項１又は請求項２に記載の発明において、搬送経路に沿って搬送される原稿の表面画像を読み取る表面読取手段に加え、原稿の裏面画像を読み取る裏面読取手段を備えたことを特徴とする。
【発明の効果】
【０００８】
本発明によれば、原稿の片面又は両面に記録されている画像の読み取りを終了したことを示すマーキングを施す原稿の面を、両面、表面及び裏面のうちから予め選択することができるので、画像とともにマークがコピーされてしまうような不都合を未然に防止することができる。
【発明を実施するための最良の形態】
【０００９】
以下、この発明に係る原稿読取装置を、コピー機能、スキャナー機能及びファクシミリ機能を備えた複合機に具体化した一実施形態を、図１〜図４に従って説明する。
図２に示すように、原稿読取装置としての複合機１０の上部には、原稿給送部１１、静止原稿載置部１２及び原稿読取機構部１３が装設されている。原稿給送部１１は、複数の原稿を連続的に搬送して、その表裏両面の画像を読み取る場合に、それらの原稿を搬送するための搬送経路を構成する。静止原稿載置部１２は、原稿上から静止画像を読み取る場合に、その原稿を載置する。また、複合機１０の下部には、図示しない周知の記録紙供給部、記録部及び記録紙排出部がそれぞれ装設されている。
【００１０】
図１及び図２に示すように、前記原稿給送部１１には、読み取り前の複数の原稿を積層状態で載置するための原稿台１４と、読み取り後の原稿を積層状態で載置するための原稿排出台１５とが装備されている。そして、この原稿台１４の原稿送込口から、原稿排出台１５の原稿排出口までの間が、前記複数の原稿を連続的に搬送するための搬送経路となっている。
【００１１】
前記原稿台１４の原稿送込口の近傍には、原稿台１４に載置された複数枚の原稿の前端と当接するように、開閉可能なシャッタ１６が配設されている。シャッタ１６の上流側には、原稿台１４上に載置された複数枚の原稿の上面に当接して、その一番上の原稿を搬送経路側に送り出すためのピックアップローラ１７が配設されている。シャッタ１６の下流側には、ピックアップローラ１７によりシャッタ１６を通過して送り出された原稿を、１枚ずつ分離して搬送経路内に送り込むための分離ローラ１８及び分離パッド１８ａが配設されている。
【００１２】
図１及び図２に示すように、前記原稿給送部１１の分離ローラ１８の下流側には、レジストローラ１９、第１搬送ローラ２０、第２搬送ローラ２１、表面読取用ローラ２２、第３搬送ローラ２３、裏面読取用ローラ２４、及び第４搬送ローラ２５が搬送経路に沿って原稿の搬送順に配設されている。これらのローラ１９〜２５のうちで、レジストローラ１９、第１搬送ローラ２０、第２搬送ローラ２１、第３搬送ローラ２３及び第４搬送ローラ２５には、アイドルローラ１９ａ，２０ａ，２１ａ，２３ａ，２５ａがそれぞれ接触配置されている。
【００１３】
前記ピックアップローラ１７から第４搬送ローラ２５までの各ローラ１７〜２５は、図３に示す１つの駆動モータとしてのステップモータ２６に作動連結されて回転駆動されるようになっている。また、これらのローラ１７〜２５のうちで、ピックアップローラ１７及び分離ローラ１８とステップモータ２６との間、並びにレジストローラ１９とステップモータ２６との間には、図３に示す電磁式のクラッチ２７，２８がそれぞれ介装され、必要に応じて各ローラ１７〜１９とステップモータ２６との作動連結が遮断されるようになっている。さらに、前記裏面読取用ローラ２４と対応する位置には密着型イメージセンサ２９が配設されている。
【００１４】
前記裏面読取用ローラ２４と第４搬送ローラ２５との間には、搬送経路の下方から、搬送中の原稿の表面に所定のスタンプを押印する表面スタンパ５０（表面マーキング手段）が設けられている。また、前記密着型イメージセンサ２９とアイドルローラ２５ａとの間には、搬送経路の上方から、搬送中の原稿の裏面に所定のスタンプを押印する裏面スタンパ５１（裏面マーキング手段）が設けられている。表面スタンパ５０及び裏面スタンパ５１は、共に図示しないソレノイドによりスタンプ動作する。
【００１５】
図１に示すように、前記原稿給送部１１の原稿台１４には、原稿台１４上に載置された原稿の幅に基づいて副走査方向のサイズを検知するための原稿サイズ検知センサＤＬＳが設けられている。ピックアップローラ１７とシャッタ１６との間には、シャッタ１６に当接された原稿の有無を検知する原稿有無検知センサＤＳ１が設けられている。分離ローラ１８とレジストローラ１９との間において分離ローラ１８寄りの位置には、搬送中の原稿の端部を検知する第１原稿端検知センサＤＳＳが設けられている。
【００１６】
さらに、レジストローラ１９の近傍には、レジストローラ１９に原稿の前端が当接したことを検知するためのレジストセンサＤＲＳが設けられている。第１搬送ローラ２０と第２搬送ローラ２１との間において第２搬送ローラ２１寄りの位置には、搬送中の原稿の端部を検知する第２原稿端検知センサＤＳ２が設けられている。第３搬送ローラ２３と裏面読取用ローラ２４との間には、搬送中の原稿の端部を検知する第３原稿端検知センサＤＳ３が設けられている。
【００１７】
図２に示すように、前記静止原稿載置部１２には、上面に原稿を載置するための透明な原稿載置板３０と、その原稿載置板３０上に開閉回動可能に配設された押え蓋３１とが装備されている。そして、前記原稿給送部１１の原稿台１４及び原稿排出台１５は、この静止原稿載置部１２の押え蓋３１上に配設されている。
【００１８】
図１及び図２に示すように、前記原稿読取機構部１３には、透光板３２、光源３３、第１ミラー３４、第２ミラー３５、第３ミラー３６、集光レンズ３７及び撮像素子（ＣＣＤ）３８が装備されている。透光板３２は、原稿給送部１１の表面読取用ローラ２２に対抗配置されている。光源３３は、透光板３２上を通過する原稿、または原稿載置板３０上に載置された原稿に光を照射する。第１〜第３ミラー３４〜３６は、原稿からの反射光の光路を変更する。集光レンズ３７は、第３ミラー３６からの光を撮像素子３８上に収束させる。撮像素子３８は、集光レンズ３７を通して入射した光に基づいて原稿の画像を読み取るとともに、その読み取った原稿の画像信号を出力する。
【００１９】
前記光源３３及び第１ミラー３４は、副走査方向に移動可能な第１キャリッジ３９上に支持されている。また、第２及び第３ミラー３５，３６は、同じく副走査方向に移動可能な第２キャリッジ４０上に支持されている。そして、図示しない周知の移動機構によって、第１キャリッジ３９が第２キャリッジ４０の２倍の移動速度で移動されるようになっている。
【００２０】
これにより、前記原稿給送部１１による複数の原稿の連続搬送時には、第１キャリッジ３９が、その移動範囲のほぼ中央に設定された待機位置Ｐ１から、透光板３２の真下に対向位置する読取位置Ｐ２に移動配置される。また、静止原稿載置部１２に載置された原稿上の静止画像の読み取り時には、第１キャリッジ３９が、原稿載置板３０の原稿給送部１１側における端部の真下に対向位置する位置Ｐ３と、原稿載置板３０の反対側端部の真下に対向位置する位置Ｐ４との間で移動される。
【００２１】
そして、前記のような構成の原稿給送部１１及び原稿読取機構部１３により原稿自動読取装置（ＡＤＦ）が構成され、第１及び第２キャリッジ３９，４０が読取位置Ｐ２に配置された状態で、透光板３２上を通過する原稿上の画像の読み取りを行う。また、静止原稿載置部１２及び原稿読取機構部１３によりフラットベッドスキャナ（ＦＢＳ）が構成され、両キャリッジ３９，４０が位置Ｐ３から位置Ｐ４まで移動される間で、原稿載置板３０上に載置された原稿上の画像の読み取りを行う。
【００２２】
次に、本実施形態の電気的構成について説明する。
図３に示すように、複合機１０は、制御装置４１、操作部４２の他、図示しない周知の画像メモリ、コーデック、モデム及びＮＣＵ（ネットワークコントロールユニット）等を備えている。制御装置４１はＭＰＵ４１ａ、ＲＯＭ４１ｂ、ＲＡＭ４１ｃ等から構成され、複合機１０全体の動作を制御する。
【００２３】
操作部４２は、コピー機能、スキャナー機能及びファクシミリ機能のうちからいずれかを設定することができるようになっている。また、操作部４２は、原稿画像の読み取りモードを、片面（表面）モード又は両面モードで選択することができるようになっている。さらに、操作部４２には、原稿にスタンプを押印する面を、両面、表面及び裏面のうちから選択するためのスタンプモード選択スイッチ４２ａ，４２ｂ，４２ｃが設けられている。スタンプモード選択スイッチ４２ａが操作されると、原稿の両面にスタンプする「両面スタンプ」モードが設定される。また、スタンプモード選択スイッチ４２ｂが操作されると、原稿の表面にのみスタンプする「表面スタンプ」モードが設定され、スタンプモード選択スイッチ４２ｃが操作されると、原稿の裏面にのみスタンプする「裏面スタンプ」モードが設定されるようになっている。さらに、操作部４２においてコピー機能、スキャナー機能及びファクシミリ機能のうちから新たな機能が設定される毎に、前記スタンプモード選択スイッチ４２ａ〜４２ｃを操作して、スタンプする原稿の面を選択しなおすように表示部４３において促すようになっている。
【００２４】
本実施形態では、制御装置４１及びスタンプモード選択スイッチ４２ａ〜４２ｃがマーキング面設定手段を構成する。また、制御装置４１及び操作部４２が機能選択手段を構成する。さらに、ステップモータ２６、制御装置４１及び第３原稿端検知センサＤＳ３が制御手段を構成する。
【００２５】
制御装置４１は、ステップモータ２６を作動させて各ローラ１７，１８，１９，２０，２１，２３，２５を駆動させ、原稿台１４上に積載されている複数の原稿を１枚ずつ搬送経路に繰り込んで搬送経路に沿って搬送する搬送制御を実行する。このとき、制御装置４１は、各原稿端検知センサＤＳＳ，ＤＳ２，ＤＳ３による原稿の前端及び後端の検知結果と、ステップモータ２６の駆動ステップ数とに基づいて搬送経路上における原稿の位置を把握する。そして、制御装置４１は、原稿読取機構部１３を制御して、搬送中の原稿の表面画像を読み取るとともに、イメージセンサ２９を制御して、搬送中の原稿の裏面画像を読み取る読取制御を実行する。
【００２６】
また、制御装置４１は、前記搬送制御において原稿を搬送しているときに、原稿が搬送経路における所定の表面スタンプ位置に達した時点で前記表面スタンパ５０を作動させ、原稿表面における所定のスタンプ予定位置にスタンプを押印する。同様に、原稿が搬送経路における所定の裏面スタンプ位置に達したときに前記裏面スタンパ５１を作動させ、原稿裏面における所定のスタンプ予定位置にスタンプを押印する。
【００２７】
次に、前記のように構成された複合機１０の動作を説明する。
この複合機１０において、原稿台１４上に積載されている複数の原稿を、原稿給送部１１を使用して連続的に搬送する場合には、制御装置４１の制御に基づいて、図４のフローチャートに示すスタンプ処理が実行される。
【００２８】
まず、原稿の読み取りを開始させるためのスタートボタンが操作されると、原稿の表面にのみスタンプすることを示す表面フラグが「０」にリセットされる（Ｓ１００）。表面フラグがリセットされると、「両面スタンプ」モードが選択されているか否かが判定される（Ｓ１０１）。
【００２９】
「両面スタンプ」モードが選択されていたときには、次に、第３原稿端検知センサＤＳ３により原稿の原稿の前端が検知された時点からのステップモータ２６の駆動ステップ数に基づき、原稿が前記表面スタンプ位置に達したか否かが判定される（Ｓ１０２）。そして、原稿が表面スタンプ位置に達したときには、表面スタンパ５０が作動され、原稿表面のスタンプ予定位置にスタンプが押印される（Ｓ１０３）。
【００３０】
続いて、表面フラグが「１」であるか否か、すなわち、「表面スタンプ」モードであるか否か判定される（Ｓ１０４）。表面フラグが「１」でなかったときには「両面スタンプ」モードであると判断される。そして、第３原稿端検知センサＤＳ３により原稿の前端が検知された時点からのステップモータ２６の駆動ステップ数に基づき、原稿が前記裏面スタンプ位置に達したか否かが判定される（Ｓ１０５）。そして、原稿が裏面スタンプ位置に達したときには、裏面スタンパ５１が作動され、原稿裏面のスタンプ予定位置にスタンプが押印される（Ｓ１０６）。
【００３１】
一方、前記Ｓ１０１で「両面スタンプ」モードが選択されていなかったときには、次に「表面スタンプ」モードが選択されているか否かが判定される（Ｓ１０７）。そして、「表面スタンプ」モードが選択されていたときには、表面フラグが「１」にセットされる（Ｓ１０８）。
【００３２】
続いて、Ｓ１０２，Ｓ１０３の処理が実行されて原稿の表面にスタンプが押印された後、Ｓ１０４で肯定判定される。そして、Ｓ１０５，Ｓ１０６の処理が実行されず、原稿の裏面にスタンプが押印されることなく本処理が終了される。
【００３３】
また、前記Ｓ１０７で「表面スタンプ」モードが選択されていなかったときには、次に「裏面スタンプ」モードが選択されているか否かが判定される（Ｓ１０９）。そして、「裏面スタンプ」モードが選択されていたときには、Ｓ１０５，Ｓ１０６の処理が実行され、原稿の裏面にスタンプが押印された後に本処理が終了される。
【００３４】
一方、Ｓ１０９で「裏面スタンプ」モードが設定されていなかったときには、原稿の表面及び裏面に共にスタンプが押印されることなく本処理が終了される。
前記のように、この実施形態の複合機１０においては、原稿の片面又は両面に記録されている画像の読み取りを終了したことを示すスタンプを押印する原稿の面を、両面、表面及び裏面のうちから予め選択することができる。このため、例えば、片面にのみ画像が記録されている原稿を読み取った後、その原稿画像を再度読み取ってコピーするような場合には、画像が記録されていない原稿の裏面にスタンプを押印するようにすれば、画像といっしょにスタンプがコピーされてしまうことがない。そして、原稿の画像が読み取られたことの確認は、原稿の裏面に押印されたスタンプを確認することで行うことができる。また、原稿の表面及び裏面の画像を読み取るときに、例えば、表面にのみスタンプするようにすれば、原稿の表面を容易に判別することができる。
【００３５】
また、コピー、ファクシミリ及びスキャナーのうちからいずれかを選択する毎に、スタンプする原稿の面の決定が表示部４３によって促されるので、選択した機能での原稿画像の読み取り時に、改めてスタンプする面を確認することができる。
【００３６】
なお、表面マーキング手段及び裏面マーキング手段は、それぞれインクジェットヘッドや熱転写ヘッドであってもよい。
【図面の簡単な説明】
【００３７】
【図１】この実施形態の複合機における原稿給送部及び読取部を示す縦断面図。
【図２】複合機の上部を示す縦断面図。
【図３】電気的構成を示すブロック図。
【図４】スタンプ処理のフローチャート。
【符号の説明】
【００３８】
１０…原稿読取装置としての複合機、１３…表面読取手段としての原稿読取機構部、２６…制御手段を構成するステップモータ、２９…裏面読取手段としての密着型イメージセンサ、４１…マーキング面設定手段、制御手段及び機能選択手段を構成する制御装置、４２…マーキング面設定手段及び機能選択手段を構成する操作部、４２ａ〜４２ｃ…マーキング面設定手段を構成するスタンプモード選択スイッチ、５０…表面マーキング手段としての表面スタンパ、５１…裏面マーキング手段としての裏面スタンパ、ＤＳ３…制御手段を構成する第３原稿端検知センサ。
【図１】
2005167726.tif 000003
【図２】
2005167726.tif 000004
【図３】
2005167726.tif 000005
【図４】
2005167726.tif 000006